(57)【要約】【課題】昇降路内において容易に組立できるエレベーターのかご室を得る。【解決手段】かご床１面での作業によりかご床１の縁部に取付板２を装着し、壁パネル１０の裏板１３を取付板２に対面して配置する。そして、係止ピン１４の頭部１６を取付板２の嵌着孔３の大径部４に嵌入し、壁パネル１０を水平方向に摺動して係止ピン１４の基部１５を嵌着孔３の溝穴５に係止する。次いで、隣接する壁パネル１０を順次、係止ピン１４及び嵌着孔３を介して立設する。これによって、昇降路におけるかご室の組立作業時に壁パネル１０を容易に所定位置に配置でき、またボルトによる締結箇所が少ないため作業性が向上する。したがって、短時間の作業により、またかご室内での作業によってかご室を組立てることができてかご室の組立作業能率を向上する。【選択図】        図６
2004307172.tif 000002
【特許請求の範囲】
【請求項１】
かご床の床面縁部に立設される壁パネルと、上記かご床の床面縁部に立設され、大径部及びこの大径部に連通し水平方向に配置されて上記大径部よりも狭幅をなす溝穴からなる嵌着孔を有する取付板と、上記壁パネルの裏面における下端部に設けられて上記取付板と対面する裏板と、基部が頭部よりも小径に形成されて上記裏板から突設され、上記頭部が上記嵌着孔の大径部に空隙を形成して嵌入されて水平方向に変位して上記基部が上記嵌着孔の溝穴に嵌着される係止ピンとを備えたエレベーターのかご室。
【請求項２】
壁パネルの下縁部が裏側へ屈折されて水平に形成され、上記壁パネルの幅方向の中間部に換気孔が設けられた下端面と、この下端面に設けられて上記壁パネルの幅方向の両端部に配置された間隔片とを備えたことを特徴とする請求項１記載のエレベーターのかご室。
【請求項３】
かご床の床面縁部に立設された取付板と、側縁部が裏面方向に屈折されて側端面が設けられ、この側端面の自由端がさらに屈折されて表面と対面する対向面が設けられる共に、上記側端面の下端の上記対向面寄りに配置されて下方に開口し上記取付板の厚さに対応した溝幅に形成された嵌合溝が設けられた壁パネルと、この壁パネルの裏面における下端部に設けられて上記取付板と対面する裏板と、上記裏板に突設されて上記取付板に設けられた嵌合孔に嵌入する突子とを備えたエレベーターのかご室。
【発明の詳細な説明】
【０００１】
【発明の属する技術分野】
この発明は、壁面がかご床の縁部に立設された壁パネルによって形成されたエレベーターのかご室に関する。
【０００２】
【従来の技術】
従来のエレベーターのかご室においては、横断面溝形をなす幅木がかご床の縁部に溝形の開口部をかご室の外方に向けて配置される。そして、幅木の溝形における下側の側壁がかご床に締結される。また、幅木の溝形における上側の側壁に壁板が立設されて壁板の下端面と上側の側壁とが締結され、複数枚の壁板によってかご室の壁面が形成されている。
【０００３】
従来のエレベーターのかご室は上記のように構成され、横断面溝形の幅木がかご床の縁部に溝形の開口部をかご室の外方に向けて配置される。そして、溝形における下側の側壁がかご床に、また壁板が溝形における上側の側壁にそれぞれかご室外からの作業によって締結するように構成されている。（例えば、特許文献１参照）。
【０００４】
【特許文献１】
特開２０００−２５５９４３号公報（第２頁、図１０〜図１２）
【０００５】
【発明が解決しようとする課題】
従来のエレベーターのかご室では、エレベーターの昇降路におけるかご室の組立作業時に幅木、壁板がかご室外からの作業によって締結される。しかし、エレベーターの昇降路におけるかご室外のスペースは狭隘であって、壁板等の締結作業は容易でなく組立作業の能率が低く長時間の作業を要するという問題点があった。
【０００６】
この発明は、かかる問題点を解消するためになされたものであり、昇降路内において容易に組立できるエレベーターのかご室を得ることを目的とする。
【０００７】
【課題を解決するための手段】
この発明に係るエレベーターのかご室においては、かご床の床面縁部に立設される壁パネルと、かご床の床面縁部に立設され、大径部及びこの大径部に連通して水平方向に配置されて大径部よりも狭幅をなす溝穴からなる嵌着孔を有する取付板と、壁パネルの裏面における下端部に設けられて取付板と対面する裏板と、基部が頭部よりも小径に形成されて裏板から突設され、頭部が嵌着孔の大径部に空隙を形成して嵌入され水平方向に変位して基部が嵌着孔の溝穴に嵌着される係止ピンとが設けられる。
【０００８】
【発明の実施の形態】
実施の形態１．
図１〜図７は、この発明の実施の形態の一例を示す図で、図１は横断平面図、図２は図１の要部縦断面図、図３は図１のＡ部拡大図、図４は図１のＢ部拡大図、図５は図１のＣ部拡大図、図６は図２のＤ部拡大図、図７は図６の嵌着孔箇所の正面図である。図において、かご室におけるかご床１の床面縁部に横断面Ｌ字状の取付金具が装着されて、取付金具の鉛直に配置された一辺からなる取付板２が設けられる。
【０００９】
そして、取付板２面を貫通した嵌着孔３が設けられ、この嵌着孔３は大径部４及び大径部４に連通し水平方向に配置されて大径部４の直径よりも狭幅をなす溝穴５によって形成されている。また、かごの出入口６の側縁部を構成する出入口柱７立設されると共に、出入口柱７に隣接した袖壁８が立設されて、これらの下端面がボルト９によってかご床１に締結される。
【００１０】
また、かご床１の床面周縁部に互いに隣接して複数枚の壁パネル１０が立設される。そして、互いに隣接して対向した壁パネル１０の側部端面の一側には突子１１が突設され、また壁パネル１０の側部端面の他側には突子１１が嵌合する嵌合孔１２が設けられる。また、壁パネル１０の裏面における下端部には壁パネル１０の下縁部が裏側へ屈折されて、この屈折部の自由端側がさらに上方に屈折されてなり取付板２と対面する裏板１３が設けられる。
【００１１】
そして、裏板１３の嵌着孔３に対向した位置に次ぎに述べる係止ピン１４が突設される。すなわち、基部１５が頭部１６よりも小径に形成されて裏板１３に固定される。そして、壁パネル１０が取付板２と対面して配置されて頭部１６が嵌着孔３の大径部４に空隙を形成して嵌入され、壁パネル１０が水平方向に摺動されることによって基部１５が変位して嵌着孔３の溝穴５に係止される。
【００１２】
上記のように構成されたエレベーターのかご室において、次ぎに述べるかご室内からの作業によって壁板が組立てられる。すなわち、かご床１面の縁部に取付板２が装着されて、かご室の奥側における一側から壁パネル１０の裏面が取付板２に対面して配置される。そして、係止ピン１４の頭部１６が嵌着孔３の大径部４に嵌入され、壁パネル１０が水平方向に摺動されて係止ピン１４の基部１５が嵌着孔３の溝穴５に係止される。
【００１３】
そして、互いに隣接した壁パネル１０の側部端面相互が突子１１が嵌合孔１２に嵌合されて、隣接した壁パネル１０の表面位置が相互に所定位置に配置される。このようにしてかご室の奥側に順次壁パネル１０が立設され、次いで奥側の場合と同様な手順でかご室の側面側に壁パネル１０が立設される。その後に出入口柱７及び袖壁８が立設されて、これらの下端面がボルト９によってかご床１に締結されてかご室の壁廻りの組立が終了する。
【００１４】
したがって、エレベーターの昇降路におけるかご室の組立作業時に壁パネル１０をかご室内での作業によって組立てることができる。このため、エレベーターの昇降路におけるかご室の組立作業能率を向上することができる。また、取付板２に対して壁パネル１０を容易に所定位置に設置することができる。
【００１５】
また、ボルトによる締結箇所が少ないため作業性が向上するので短時間の作業によって容易にかご室を組立てることができる。さらに、隣接した壁パネル１０相互、またかご床１に対して壁パネル１０下端を容易に密接させることができ、かご室の美観を向上することができる。
【００１６】
実施の形態２．
図８及び図９は、この発明の他の実施の形態の一例を示す図で、図８は前述の図６相当図、図９は図８の壁パネルの横断平面図である。図において、前述の図１〜図７と同符号は相当部分を示し、壁パネル１０の下縁部が裏側へ屈折されて水平に形成された下端面１７が形成される。そして、下端面１７に換気孔１８が設けられて壁パネル１０の幅方向における中間部に配置される。
【００１７】
また、壁パネル１０の下端面１７に間隔片１９が設けられて壁パネル１０の幅方向の両端部にそれぞれ配置される。これによって、立設された壁パネル１０の下端とかご床１面との間に空隙が形成され、この空隙から換気孔１８に連通する空気流路が形成される。
【００１８】
上記のように構成されたエレベーターのかご室において、かご床１面の縁部に取付板２が装着され、壁パネル１０の裏板１３に設けられた係止ピン１４が取付板２の嵌着孔３に係止される。また、壁パネル１０の互いに対向した側部端面相互において突子１１が嵌合孔１２に嵌合される。
【００１９】
したがって、詳細な説明を省略するが図８及び図９の実施の形態においても図１〜図７の実施の形態と同様な作用が得られる。
また、図８及び図９の実施の形態において、間隔片１９と壁パネル１０の換気孔１８とにより空気流路が形成されるので、この空気流路よってがかご室を換気することができる。
【００２０】
実施の形態３．
図１０及び図１１も、この発明の他の実施の形態の一例を示す図で、図１０は前述の図６相当図、図１１は図１０の壁パネル箇所の横断平面図である。図において、前述の図１〜図７と同符号は相当部分を示し、壁パネル１０の側縁部が裏面方向に屈折されて側端面２０が設けられ、側端面２０の自由端がさらに屈折されて壁パネル１０の表面と対面する対向面２１が形成される。
【００２１】
また、側端面２０の下端の対向面２１寄りに下方に開口し取付板２の厚さに対応した溝幅の嵌合溝２２が設けられる。そして、取付板２に嵌合孔２３が設けられて、壁パネル１０の裏板１３の嵌合孔２３に対向する位置に突子２４が設けられる。
【００２２】
上記のように構成されたエレベーターのかご室において、かご床１面の縁部に取付板２が装着され、壁パネル１０の側端面２０に設けられ嵌合溝２２が取付板２に嵌合される。そして、取付板２の嵌合孔２３に裏板１３の突子２４が嵌着して壁パネル１０が取付板２に係止される。したがって、詳細な説明を省略するが図１０及び図１１の実施の形態においても図１〜図７の実施の形態と同様な作用が得られる。
【００２３】
【発明の効果】
この発明は以上説明したように、かご床の床面縁部に立設される壁パネルと、かご床の床面縁部に立設され、大径部及びこの大径部に連通し水平方向に配置されて大径部よりも狭幅をなす溝穴からなる嵌着孔を有する取付板と、壁パネルの裏面における下端部に設けられて取付板と対面する裏板と、基部が頭部よりも小径に形成されて裏板から突設され、頭部が嵌着孔の大径部に空隙を形成して嵌入されて水平方向に変位して基部が嵌着孔の溝穴に嵌着される係止ピンとを設けたものである。
【００２４】
これによって、かご室内からのかご床面での作業によってかご床面の縁部に取付板が装着されて、壁パネルの裏板が取付板に対面して配置され係止ピンの頭部が取付板の嵌着孔の大径部に嵌入されて、壁パネルが水平方向に摺動され係止ピンの基部が嵌着孔の溝穴に係止される。そして、隣接する壁パネルが順次係止ピン及び嵌着孔を介して立設される。したがって、エレベーターの昇降路におけるかご室の組立作業時に壁パネルを容易に所定位置に配置でき、またボルトによる締結箇所が少ないため作業性が向上する。このため、短時間の作業により、またかご室内での作業によって容易にかご室を組立てることができてかご室の組立作業能率を向上する効果がある。
【図面の簡単な説明】
【図１】この発明の実施の形態１を示す図で、横断平面図。
【図２】図１の要部縦断面図。
【図３】図１のＡ部拡大図。
【図４】図１のＢ部拡大図。
【図５】図１のＣ部拡大図。
【図６】図２のＤ部拡大図。
【図７】図６の嵌着孔箇所の正面図。
【図８】この発明の実施の形態２を示す図で、前述の図６相当図。
【図９】図８の壁パネルの横断平面図。
【図１０】この発明の実施の形態３を示す図で、前述の図６相当図。
【図１１】図１０の壁パネル箇所の横断平面図。
【符号の説明】
１  かご床、２  取付板、３  嵌着孔、４  大径部、５  溝穴、１０  壁パネル、１３  裏板、１４  係止ピン、１５  基部、１６  頭部、１７  下端面、１８  換気孔、１９  間隔片、２０  側端面、２１  対向面、２２  嵌合溝、２３嵌合孔、２４  突子。
【図１】
2004307172.tif 000003
【図２】
2004307172.tif 000004
【図３】
2004307172.tif 000005
【図４】
2004307172.tif 000006
【図５】
2004307172.tif 000007
【図６】
2004307172.tif 000008
【図７】
2004307172.tif 000009
【図８】
2004307172.tif 000010
【図９】
2004307172.tif 000011
【図１０】
2004307172.tif 000012
【図１１】
2004307172.tif 000013